(57)【要約】【課題】設定条件が初期設定の条件と異なる場合にオペレータに設定条件が初期設定の条件と異なることを認知させることにある。【解決手段】設定条件を表示すると共に所定の発光態様で発光する操作パネル８を備え設定条件を変更することができる複写機１に用いられる発光態様制御装置９であって、比較手段９１と、発光態様制御手段９２とを備えている。比較手段９１は設定条件と初期設定とを比較する手段である。発光態様制御手段９２は、比較手段９１によって比較した結果、設定条件が初期設定と異なる場合に操作パネル８の発光態様を変更する手段である。【選択図】図１
2007212848.tif 000002
【特許請求の範囲】
【請求項１】
設定条件を表示すると共に所定の発光態様で発光する表示部を備え設定条件を変更することができる電子機器に用いられる発光態様制御装置であって、
設定条件と初期設定とを比較する比較手段と、
前記比較手段によって比較した結果、設定条件が初期設定と異なる場合に前記表示部の発光態様を変更する発光態様制御手段と、
を備えた発光態様制御装置。  
【請求項２】
前記発光態様制御手段は設定条件が変更されたときに前記表示部の発光態様を変更する、請求項１に記載の発光態様制御装置。
【請求項３】
前記電子機器は原稿がセットされたことを検知する原稿検知部を有し、
前記報知手段は前記原稿検知部で原稿が検知されたときに前記操作パネルの発光態様を変更する、請求項１に記載の発光態様制御装置。
【請求項４】
前記発光態様制御手段は前記表示部の背景表示色を変更することで前記表示部の発光態様を変更する、請求項１から３のいずれかに記載の発光態様制御装置。
【請求項５】
設定条件を表示すると共に所定の発光態様で発光する前記表示部と、
請求項１から４までのいずれかに記載の発光態様制御装置と、
前記表示部で表示される設定条件で画像を形成する画像形成部と、
を備えた画像形成装置。
【発明の詳細な説明】
【技術分野】
【０００１】
本発明は、発光態様制御装置及び画像形成装置、特に、設定条件を表示すると共に所定の発光態様で発光する表示部を備え設定条件を変更することができる電子機器に用いられる発光態様制御装置及び発光態様制御装置を備えた画像形成装置に関する。
【背景技術】
【０００２】
電子機器には、表示部を備え、表示部を操作することで設定条件を変更することができるものがある。このような電子機器には、例えばプリンタ等の画像形成装置がある。画像形成装置は、一般的に、用紙に画像を形成する画像形成部と、画像が形成された用紙を排出する用紙排出部と、画像形成条件の設定や画像形成命令等を行う操作パネル（表示部）とを有している。この画像形成装置では、操作パネル上に配置される画像形成条件（設定条件）を設定するボタンを操作して操作パネルで画像形成条件を設定し、画像形成命令がなされると、操作パネルで設定された画像形成条件に基づいて画像形成部で用紙上に画像が形成される。その後、画像が形成された用紙が排出部から排出される。
【０００３】
画像形成条件を初期設定の条件から変更した場合、次に画像形成を行うオペレータが画像形成条件の変更に気付かずに画像形成を行うことを防止するために、所定の時間経過後に画像形成条件を初期設定に戻す機能を有する画像形成装置が存在する。このような機能を備えた画像形成装置では、画像形成条件が初期設定に戻っているのか（所定の時間経過しているか）がオペレータに分かりにくい。そこで、画像形成条件が初期設定の条件と異なる部分が操作パネルから分かるようにするために、初期設定と画像形成条件の異なる画像形成条件を設定するボタンの色を変更するようにしたものがある（特許文献１参照）。
【特許文献１】特開２００４−８６０４５号公報
【発明の開示】
【発明が解決しようとする課題】
【０００４】
特許文献１に記載の画像形成装置では、画像形成条件が初期設定の条件と異なる場合の異なっている条件を設定する操作パネル上のボタンが操作パネル上に現れていない場合がある。例えば、操作パネル上に現れている面よりも下の階層に初期設定と条件が異なるボタンが存在する場合がある。このような場合には、画像形成条件が初期設定の条件から変更されていることを知らずに、初期設定の条件と信じて画像形成命令をする場合がある。この場合、初期設定の条件と異なった画像形成条件で画像形成することになりミスコピーが発生する。
【０００５】
本発明の課題は、設定条件が初期設定の条件と異なる場合にオペレータに設定条件が初期設定の条件と異なることを認知させることにある。
【課題を解決するための手段】
【０００６】
請求項１に係る発光態様制御装置は、設定条件を表示すると共に所定の発光態様で発光する表示部を備え設定条件を変更することができる電子機器に用いられる発光態様制御装置であって、比較手段と、発光態様制御手段とを備えている。比較手段は設定条件と初期設定とを比較する手段である。発光態様制御手段は、比較手段によって比較した結果、設定条件が初期設定と異なる場合に表示部の発光態様を変更する手段である。
【０００７】
この発光態様制御装置では、設定条件と初期設定とを比較手段によって比較して、設定条件が初期設定と異なる場合に発光態様制御手段が表示部の発光態様を変更する。
【０００８】
ここでは、設定条件が初期設定から変更されている場合に表示部の発光態様が変更しているために、初期設定と信じて印字することによるミスコピーを防止できる。
【０００９】
請求項２に係る発光態様制御装置は、請求項１に記載の発光態様制御装置であって、発光態様制御手段は設定条件が初期設定から変更されたときに表示部の発光態様を変更する。
【００１０】
ここでは、オペレータは設定条件が初期設定から変更されたときに表示部の発光態様から設定条件が初期設定から変更されたことを知ることができるために、初期設定と信じて印字することによるミスコピーを防止できる。
【００１１】
請求項３に係る発光態様制御装置は、請求項１に記載の発光態様制御装置であって、電子機器は原稿がセットされたことを検知する原稿検知部を有し、報知手段は原稿検知部で原稿が検知されたときに操作パネルの発光態様を変更する。
【００１２】
ここでは、初期設定と異なる設定条件で画像形成装置に原稿がセットされた瞬間に表示部の発光態様が変更するために、オペレータは画像形成命令前に設定条件が初期設定と異なることを知ることができる。このために、初期設定の条件と信じて印字することによるミスコピーを防止できる。
【００１３】
請求項４に係る発光態様制御装置は、請求項１から３のいずれかに記載の発光態様制御装置であって、発光態様制御手段は表示部の背景表示色を変更することで表示部の発光態様を変更する。
【００１４】
ここでは、表示部の背景表示色の発光態様が変更されるので、例えば条件を設定するボタンが下の階層にあるために表示部に現れていない場合でも、オペレータは設定条件が初期設定と異なることを知ることができる。
【００１５】
請求項５に係る画像形成装置は、設定条件を表示すると共に所定の発光態様で発光する表示部と、請求項１から４までのいずれかに記載の発光態様制御装置と、表示部で表示される設定条件で画像を形成する画像形成部とを備えている。
【発明の効果】
【００１６】
本発明は設定条件が初期設定の条件と異なる場合にオペレータに設定条件が初期設定の条件と異なることを認知させることができる。
【発明を実施するための最良の形態】
【００１７】
１．構成
図１及び図２は本発明の一実施形態が採用された発光態様制御装置が用いられている画像形成装置である複写機１を示す。なお、図１は複写機１の概観図であって、図２は各構成要素の配置を示すための模式図であり各部の詳細は省略して示している。
【００１８】
複写機１は、後述する原稿読み取り部２で読み取られた原稿の画像データに基づいてトナー像を用紙に印刷可能な装置であって、原稿から画像情報を読み取る原稿読み取り部２と、画像情報に基づいてトナー像を形成する画像形成部３と、画像形成部３で形成されたトナー像を用紙に定着する定着部４と、画像形成部３に向けて用紙を搬送する用紙搬送部５と、用紙搬送部５に給紙する給紙部６と、トナー像が定着された用紙を排出する排出部７と、画像形成条件（設定条件）を設定可能な操作パネル８（表示部）と、操作パネル８の発光態様を制御する発光態様制御装置９とを有している。なお、図２に示す後述する読み取り部２１及びレーザユニット３３以外の矢印は用紙の搬送方向を示しており、後述する読み取り部２１及びレーザユニット３３に記載の矢印は光の光路を示している。
【００１９】
原稿読み取り部２は、読み取り部２１と、カバー２２とを有しており、複写機１の上部に配置されている。
【００２０】
読み取り部２１は、原稿読み取り台２１ａや原稿検知部２１ｂ等を有している。原稿読み取り台２１ａ上に原稿を載置すると原稿検知部２１ｂによって原稿が載置されたことが検知される。
【００２１】
カバー２２は、原稿読み取り台２１ａ上に載置された原稿を押さえる部分であって、原稿の自動読み取り部２３が設けられている。原稿の自動読み取り部２３は、大量の原稿を複写する際に用いられる部分であって、原稿載置部２４と、原稿検知スイッチ２５と、原稿自動送り部２６と、原稿光照射部２７と、原稿排出部２８とを備えている。原稿載置部２４は原稿を載置するための部分であってカバー２２の上部に設けられている。原稿検知スイッチ２５は原稿載置部２４の上に原稿が載置されたことを検知するためのスイッチである。原稿自動送り部２６は原稿を一枚ずつ搬送するための部分である。原稿光照射部２７は原稿に光を照射するための部分である。原稿光照射部２７で原稿に照射された光は、原稿で反射されて読み取り部２１で読みとられる。原稿排出部２８は画像データが読み取られた原稿が排出される部分である。
【００２２】
画像形成部３は、表面に静電潜像やトナー像が形成される感光体ドラム３１と、感光体ドラム３１にトナーを供給するための現像器３２と、画像情報に基づいて感光体ドラム３１表面を走査露光するレーザユニット３３とを備える。
【００２３】
感光体ドラム３１は、現像器３２に隣接するように設けられ、その回転軸は図１の紙面に対して垂直に延びるように設けられている。
【００２４】
現像器３２は、トナー像を現像するための部分であって、内部にトナーを収納している。また、現像器３２は、開口に現像ローラ３２ａを有しており、この現像ローラ３２ａによって感光体ドラム３１にトナーを供給する。
【００２５】
レーザユニット３３は、レーザ光を感光体ドラム３１に照射するためのものであって、感光体ドラム３１の上方に配置されている。
【００２６】
定着部４は、画像形成部３で形成された画像を用紙に定着するための部分であって、加圧ローラ４１と加熱ローラ４２とを有している。
【００２７】
用紙搬送部５は、画像形成部３や定着部４に用紙を搬送するための部分であって、給紙部６から排出部７まで延びている。
【００２８】
給紙部６は、印刷を行うための用紙を用紙搬送部５に向かって給紙するための部分であって、給紙カセット６１や用紙を給紙するためのローラ６２等を有している。また、給紙部６は、この複写機１の下側に配置されている。
【００２９】
排出部７は、画像が定着された用紙が用紙搬送部５を通って排出される部分であり、この複写機１の上部に配置されている。
【００３０】
操作パネル８は、図１及び図３に示すように、画像形成条件（設定条件）を表示すると共に所定の発光態様で発光する部分であって、画像形成条件（例えば、印字倍率や印字枚数等）を変更するためのボタン８１が多数表示されている部分である。ここで、図３は操作パネル８の部分拡大図である。また、操作パネル８は、図１に示すように、複写機１の外枠の上部に設けられている。ここで、操作パネル８のボタン８１以外の部分、すなわち背景の色には画像形成条件が初期設定の場合の色と画像形成条件が初期設定と異なる場合の色の２種類存在している。
【００３１】
発光態様制御装置９は、図４に示すように、操作パネル８の発光態様を制御する装置であって、比較手段９１と、発光態様制御手段９２として機能する実行する。また、発光態様制御装置９は、ＣＰＵ等であって、原稿読み取り部２や画像形成部３の制御も行っている。ここで、図４は発光態様制御装置９のブロック図を示す。
【００３２】
比較手段９１によって画像形成条件と初期設定の条件とを比較する。
【００３３】
発光態様制御手段９２によって、比較手段９１によって比較した結果、画像形成条件が設定条件と異なっている場合に、原稿検知部２１ｂ又は原稿検知スイッチ２５で原稿を検知すると操作パネル８の背景色を変更する。
【００３４】
なお、複写機１には、画像形成条件は初期設定の条件から変更した場合、一定時間経過した後に初期設定に自動的に変更する機能（オートクリア機能）が設けられている。
【００３５】
２．動作
複写機１の動作について説明する。
【００３６】
操作パネル８で画像形成条件が設定されて画像形成命令がなされると、原稿読み取り部２で原稿の画像データが読み取られる。原稿読み取り部２で読み取られた画像データは画像形成部３に送信されて、画像データに基づいてトナー像が給紙部６から用紙搬送部５を介して搬送された用紙に形成される。トナー像が形成された用紙は次に定着部４に搬送されて、トナー像が用紙に定着される。その後、排出部７からトナー像が定着された用紙が排出される。
【００３７】
次に発光態様制御動作について説明する。図５は発光態様変更動作を示したものである。以下、この図５に基づいて説明する。
【００３８】
先ず原稿読み取り部２に配置されている原稿検知スイッチ３５又は原稿検知部２１ｂで原稿が原稿読み取り台２１ａ又は原稿載置部２４に載置されたことを検知したか否かを判断する（Ｓ１）。原稿が原稿読み取り台２１ａ又は原稿載置部２４に載置されたことを検知しなかった場合（Ｓ１のＮＯ）には操作パネル８の背景色を初期設定の際の背景色へと変更する（Ｓ２）。原稿が原稿読み取り台２１ａ又は原稿載置部２４に載置されたことを検知した場合（Ｓ１のＹＥＳ）には、画像形成条件に初期設定の条件と異なる条件が含まれているかを判断する（Ｓ３）。画像形成条件に初期設定の条件と異なる条件が含まれていない、すなわち画像形成条件が初期設定の条件である場合（Ｓ３のＮＯ）には操作パネル８を初期設定の際の背景色に変更する（Ｓ２）。画像形成条件が初期設定の条件とは異なる場合（Ｓ３のＹＥＳ）には操作パネル８の背景色を初期設定時の背景色とは異なる色に変更する（Ｓ４）。
【００３９】
ここでは、原稿を原稿読み取り部２にセットする際に画像形成条件が初期設定の条件とは異なる場合に、操作パネル８の背景色が変わるためにオペレータが初期設定と信じて初期設定の条件とは異なる条件で複写することによって生じるミスコピーを防止できる。
【００４０】
３．他の実施形態
上記実施形態では、画像形成装置の一例として複写機１を用いたが、本発明はこれに限られず、プリンタや複合機などであっても良い。また、上記実施形態では操作パネル８の背景色を２色用いたが、３色以上であっても良い。さらに、上記実施形態では原稿検知部２１ｂ又は原稿検知スイッチ２５によって原稿読み取り部２の原稿の有無を判断して背景色を変更したが、画像形成条件が初期設定の条件から変更された瞬間に操作パネル８の背景色を変更するようにしても良い。なお、本発明は所定の発光態様で発光する表示部を有し、設定条件に基づいて動作する機器であれば、画像形成装置に限定されず他の電子機器でもよい。さらに、上記実施形態では、背景全体の色を変更したが、背景全体の色の変更に限らずに、一部、例えば固定された一カ所や一部領域の色の変更又は点滅・点灯であっても良い。
【図面の簡単な説明】
【００４１】
【図１】複写機１の概観図。
【図２】複写機１の断面概略図。
【図３】操作パネル８の拡大図。
【図４】発光態様制御装置９のブロック図。
【図５】発光態様変更動作のフローチャート。
【符号の説明】
【００４２】
１  複写機
２  原稿読みとり部
８  操作パネル（表示部）
９  発光態様制御装置
２１ｂ  原稿検知部（原稿検知部）
２５  原稿検知スイッチ（原稿検知部）
９１  比較手段
９２  発光態様制御手段
【図１】
2007212848.tif 000003
【図２】
2007212848.tif 000004
【図３】
2007212848.tif 000005
【図４】
2007212848.tif 000006
【図５】
2007212848.tif 000007